(57)【要約】  本開示の一態様に係るユーザ端末は、上り共有チャネル又は下り共有チャネルの繰り返し回数に関する情報を受信する受信部と、前記繰り返し回数と等しい数の送信機会で上り共有チャネル又は下り共有チャネルを送信又は受信する場合、前記繰り返し回数と等しい数の連続するスロットより後のスロットにおける前記上り共有チャネルの送信又は前記下り共有チャネルの受信を制御する制御部と、を具備する。
2020165998.tif 000002
【特許請求の範囲】
【請求項１】
上り共有チャネル又は下り共有チャネルの繰り返し回数に関する情報を受信する受信部と、
前記繰り返し回数と等しい数の送信機会で上り共有チャネル又は下り共有チャネルを送信又は受信する場合、前記繰り返し回数と等しい数の連続するスロットより後のスロットにおける前記上り共有チャネルの送信又は前記下り共有チャネルの受信を制御する制御部と、
を具備することを特徴とするユーザ端末。
【請求項２】
前記制御部は、前記連続するスロットより後のスロットであっても前記上り共有チャネルの送信又は前記下り共有チャネルの受信を継続することを特徴とする請求項１に記載のユーザ端末。
【請求項３】
前記制御部は、前記連続するスロットより後のスロットであっても前記上り共有チャネルの送信又は前記下り共有チャネルの受信を中止することを特徴とする請求項１に記載のユーザ端末。
【請求項４】
前記制御部は、各送信機会内のスロット境界に基づいて、前記各送信機会内における前記上り共有チャネル又は前記下り共有チャネルの周波数ホッピングを制御することを特徴とする請求項１から請求項３のいずれかに記載のユーザ端末。
【請求項５】
前記周波数ホッピングのパターンは、前記繰り返し回数と等しい数の送信機会間で同一である、又は、該送信機会の少なくとも一部の間で異なることを特徴とする請求項４に記載のユーザ端末。
【請求項６】
前記制御部は、前記繰り返し回数と等しい数の送信機会間で前記上り共有チャネル又は前記下り共有チャネルの周波数ホッピングを制御することを特徴とする請求項１から請求項３のいずれかに記載のユーザ端末。
【発明の詳細な説明】
【技術分野】
【０００１】
本開示は、次世代移動通信システムにおけるユーザ端末に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、３ＧＰＰ  Ｒｅｌ．８−１４）では、ユーザ端末（User  Equipment（ＵＥ））は、下り制御情報（Downlink  Control  Information（ＤＣＩ））に基づいて、上り共有チャネル（例えば、Physical  Uplink  Shared  Channel（ＰＵＳＣＨ））の送信及び下り共有チャネル（例えば、Physical  Downlink  Control  Channel（ＰＤＳＣＨ））の受信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrｓestrial  Radio  Access  Network  (E-UTRAN);  Overall  description;  Stage  2  (Release  8)”、２０１０年４月
【発明の概要】
【発明が解決しようとする課題】
【０００６】
Ｒｅｌ．１５では、ユーザ端末（ＵＥ：User  Equipment）は、ある送信機会（transmission  occasion）（期間、機会等ともいう）の所定のチャネル及び信号の少なくとも一つ（チャネル／信号）（例えば、上り共有チャネル（Physical  Uplink  Shared  Channel（ＰＵＳＣＨ））又は下り共有チャネル（Physical  Downlink  Shared  Channel（ＰＤＳＣＨ）））に対して、単一のスロット内で時間領域リソース（例えば、所定数のシンボル）を割り当てることが検討されてきた。【０００７】
一方、将来の無線通信システム（例えば、Ｒｅｌ．１６以降、以下、ＮＲともいう）では、ある送信機会の所定のチャネル／信号（例えば、ＰＵＳＣＨ又はＰＤＳＣＨ）に対して、スロット境界（slot  boundary）を跨って（複数のスロットに渡って）時間領域リソース（例えば、所定数のシンボル）を割り当てることも想定される。【０００８】
ある送信機会においてスロット境界を跨いで（複数のスロットに渡って）割り当てられる時間領域リソースを用いたチャネル／信号の送信は、マルチセグメント送信、２セグメント送信、クロススロット境界送信等とも呼ばれる。同様に、スロット境界を跨いだチャネル／信号の受信は、マルチセグメント受信、２セグメント受信、クロススロット境界受信等とも呼ばれる。【０００９】
しかしながら、Ｒｅｌ．１５では、ある送信機会においてスロット境界を跨がずに（単一のスロット内）で時間領域リソースが割り当てられることを前提として信号／チャネルの送信及び受信の少なくとも一つ（送信／受信）に関する制御（例えば、時間領域リソースの決定、繰り返し送信又は繰り返し受信、周波数ホッピングの少なくとも一つ）が行われる。このため、ＮＲにおいて、マルチセグメント送信される信号／チャネルの送信／受信に関する制御を適切に行うことができない恐れがある。【００１０】
そこで、本開示は、マルチセグメント送信される信号／チャネルの送信／受信を適切に制御可能なユーザ端末を提供することを目的の１つとする。
【課題を解決するための手段】
【００１１】
本開示の一態様に係るユーザ端末は、上り共有チャネル又は下り共有チャネルの繰り返し回数に関する情報を受信する受信部と、前記繰り返し回数と等しい数の送信機会で上り共有チャネル又は下り共有チャネルを送信又は受信する場合、前記繰り返し回数と等しい数の連続するスロットより後のスロットにおける前記上り共有チャネルの送信又は前記下り共有チャネルの受信を制御する制御部と、を具備することを特徴とする。
【発明の効果】
【００１２】
本開示の一態様によれば、マルチセグメント送信される信号／チャネルの送信／受信を適切に制御できる。
【図面の簡単な説明】
【００１３】
【図１】図１は、マルチセグメント送信の一例を示す図である。
【図２】図２Ａ及び２Ｂは、ＰＵＳＣＨに対する時間領域リソースの割り当ての一例を示す図である。
【図３】図３Ａ及び３Ｂは、周波数ホッピングの一例を示す図である。
【図４】図４は、第１の態様に係る時間領域リソースの決定の一例を示す図である。
【図５】図５は、第１の態様に係る第１の時間領域リソース決定の一例を示す図である。
【図６】図６Ａ及び６Ｂは、第１の態様に係る第２の時間領域リソース決定の一例を示す図である。
【図７】図７Ａ及び７Ｂは、第２の態様に係る第１及び第２の繰り返し送信の一例を示す図である。
【図８】図８は、第３の態様に係る第１の周波数ホッピング手順の一例を示す図である。
【図９】図９は、第３の態様に係る第１の周波数ホッピング手順の他の例を示す図である。
【図１０】図１０は、第３の態様に係る第２の周波数ホッピング手順の一例を示す図である。
【図１１】図１１Ａ及び１１Ｂは、第４の態様に係る第１の周波数ホッピング境界決定の一例を示す図である。
【図１２】図１２Ａ及び１２Ｂは、第４の態様に係る第２の周波数ホッピング境界決定の一例を示す図である。
【図１３】図１３は、一実施形態に係る無線通信システムの概略構成の一例を示す図である。
【図１４】図１４は、一実施形態に係る基地局の構成の一例を示す図である。
【図１５】図１５は、一実施形態に係るユーザ端末の構成の一例を示す図である。
【図１６】図１６は、一実施形態に係る基地局及びユーザ端末のハードウェア構成の一例を示す図である。
【発明を実施するための形態】
【００１４】
（マルチセグメント送信）
Ｒｅｌ．１５では、ユーザ端末（ＵＥ：User  Equipment）は、ある送信機会（transmission  occasion）（期間、機会等ともいう）の所定のチャネル及び信号の少なくとも一つ（チャネル／信号）（例えば、上り共有チャネル（Physical  Uplink  Shared  Channel（ＰＵＳＣＨ））又は下り共有チャネル（Physical  Downlink  Shared  Channel（ＰＤＳＣＨ）））に対して、単一のスロット内で時間領域リソース（例えば、所定数のシンボル）を割り当てることが検討されてきた。
【００１５】
例えば、ＵＥは、ある送信機会において、スロット内の連続する所定数のシンボルに割り当てられるＰＵＳＣＨを用いて、一つ又は複数のトランスポートブロック（Transport  Block（ＴＢ））を送信してもよい。また、ＵＥは、ある送信機会において、スロット内の連続する所定数のシンボルに割り当てられるＰＤＳＣＨを用いて、一つ又は複数のＴＢを送信してもよい。
【００１６】
一方、ＮＲ（例えば、Ｒｅｌ．１６以降）では、ある送信機会の所定のチャネル／信号（例えば、ＰＵＳＣＨ又はＰＤＳＣＨ）に対して、スロット境界（slot  boundary）を跨って（複数のスロットに渡って）時間領域リソース（例えば、所定数のシンボル）を割り当てることも想定される。
【００１７】
ある送信機会においてスロット境界を跨いで（複数のスロットに渡って）割り当てられる時間領域リソースを用いたチャネル／信号の送信は、マルチセグメント送信、２セグメント送信、クロススロット境界送信等とも呼ばれる。同様に、スロット境界を跨いだチャネル／信号の受信は、マルチセグメント受信、２セグメント受信、クロススロット境界受信等とも呼ばれる。
【００１８】
図１は、マルチセグメント送信の一例を示す図である。なお、図１では、ＰＵＳＣＨのマルチセグメント送信を例示するが、他の信号／チャネル（例えば、ＰＤＳＣＨ等）にも適用可能であることは勿論である。
【００１９】
図１において、ＵＥは、所定数のセグメントに基づいて、一つのスロット内で又は複数のスロットに跨って割り当てられるＰＵＳＣＨの送信を制御してもよい。具体的には、ある送信機会において一以上のスロットに渡る時間領域リソースがＰＵＳＣＨに割り当てられる場合、ＵＥは、各セグメントを対応するスロット内の所定数の割り当てシンボルにマッピングしてもよい。
【００２０】
ここで、「セグメント」とは、所定のデータユニットであり、一つ又は複数のＴＢの少なくとも一部であればよい。例えば、各セグメントは、一つ又は複数のＴＢ、一つ又は複数のコードブロック（Code  Block（ＣＢ））、又は、一つ又は複数のコードブロックグループ（Code  Block  Group（ＣＢＧ））で構成されてもよい。なお、１ＣＢは、ＴＢの符号化用のユニットであり、ＴＢが一つ又は複数に分割（CB  segmentation）されたものであってもよい。また、１ＣＢＧは、所定数のＣＢを含んでもよい。
【００２１】
各セグメントのサイズ（ビット数）は、例えば、ＰＵＳＣＨが割り当てられるスロット数、各スロットにおける割り当てシンボル数、及び、各スロットにおける割り当てシンボル数の割合の少なくとも一つに基づいて決定されてもよい。また、セグメントの数は、ＰＵＳＣＨが割り当てられるスロット数に基づいて決定されればよい。
【００２２】
或いは、「セグメント」は、一つの送信機会に割り当てられる各スロット内の所定数のシンボル又は当該所定数のシンボルで送信されるデータであってもよい。例えば、一つの送信機会で割り当てられるＰＵＳＣＨの先頭シンボルが第一のスロット、末尾シンボルが第二のスロットにある場合、当該ＰＵＳＣＨについて、第一のスロットに含まれる一以上のシンボルを第一のセグメント、第二のスロットに含まれる一以上のシンボルを第二のセグメント、としてもよい。
【００２３】
例えば、ＰＵＳＣＨ＃０、＃４はそれぞれ単一のスロット内の連続する所定数のシンボル内に割り当てられる。この場合、ＵＥは、単一のセグメントを当該単一のスロット内の割り当てシンボルにマッピングしてもよい。当該単一のセグメントは、例えば、一つ又は複数のＴＢで構成されればよい。このような単一のスロット内における単一のセグメントの送信は、シングルセグメント（single-segment）送信、１セグメント（one-segment）送信等と呼ばれてもよい。
【００２４】
一方、ＰＵＳＣＨ＃１、＃２、＃３は、それぞれ、スロット境界を跨って複数のスロット（ここでは、２スロット）に渡る連続する所定数のシンボルに割り当てられる。この場合、ＵＥは、複数のセグメント（例えば、２セグメント）をそれぞれ異なる複数のスロット内の割り当てシンボルにマッピングしてもよい。各セグメントは、例えば、１ＴＢ、所定数のＣＢ又は所定数のＣＢＧ等、一つ又は複数のＴＢを分割したデータユニットで構成されればよい。
【００２５】
このような複数のスロットに渡る複数のセグメントの送信は、マルチセグメント（multi-segment）送信、２セグメント（two-segment）送信、クロススロット境界送信等と呼ばれてもよい。なお、各スロットには、１セグメントが対応してもよいし、複数のセグメントが対応してもよい。
【００２６】
（時間領域リソース割り当て）
ＮＲでは、ＵＥは、下り制御情報（Downlink  Control  Information（ＤＣＩ））内の所定フィールド（例えば、時間領域リソース割り当て（Time  Domain  Resource  Assignment又はallocation（ＴＤＲＡ））フィールド）の値に基づいて、ＰＵＳＣＨ又はＰＤＳＣＨに割り当てられる時間領域リソース（例えば、一以上のシンボル）を決定することが検討されている。
【００２７】
例えば、ＵＥは、ＤＣＩ（例えば、ＤＣＩフォーマット０＿０又は０＿１）内のＴＤＲＡフィールドの値に基づいて、スロット内におけるＰＵＳＣＨの開始シンボルＳ及びシンボル数（時間長又は長さ）Ｌを決定することが検討されている。
【００２８】
図２Ａ及び２Ｂは、ＰＵＳＣＨに対する時間領域リソースの割り当ての一例を示す図である。図２Ａに示すように、ＰＵＳＣＨに割り当てられる時間領域リソースは、スロットの最初に対する相対的な開始シンボルＳ（starting  symbol  S  relative  to  the  start  of  the  slot）と、連続するシンボル数Ｌとに基づいて決定されてもよい。なお、開始シンボルＳは、開始シンボルのインデックスＳ又は位置Ｓ等と言い換えられてもよい。
【００２９】
例えば、ＵＥは、ＤＣＩ内のＴＤＲＡフィールドの値ｍに基づいて、所定のテーブルの行インデックス（エントリ番号又はエントリインデックス）（例えば、ｍ＋１）を決定してもよい。当該行インデックスは、ＰＵＳＣＨに対する時間領域リソースの割り当てに関するパラメータ（ＰＵＳＣＨ時間領域割り当てパラメータ）を示してもよい（規定（define）してもよい、又は、に関連付けられ（associated  with）てもよい）。
【００３０】
当該ＰＵＳＣＨ時間領域割り当てパラメータは、例えば、以下の少なくとも一つのパラメータを含んでもよい。
・ＤＣＩと当該ＤＣＩによりスケジューリングされるＰＵＳＣＨとの間の時間オフセットＫ２（ｋ２、Ｋ２等ともいう）を示す情報（オフセット情報、Ｋ２情報）
・ＰＵＳＣＨのマッピングタイプを示す情報（マッピングタイプ情報）、上記開始シンボルＳ及びシンボル数Ｌの組み合わせを示す識別子（Start  and  Length  Indicator（ＳＬＩＶ））（又は、上記開始シンボルＳ及びシンボル数Ｌそのもの）
【００３１】
各行インデックスに対応する上記ＰＵＳＣＨ時間領域割り当てパラメータは、上位レイヤで設定される所定のリスト（例えば、無線リソース制御（Radio  Resource  Control（ＲＲＣ））の情報要素（Information  Element（ＩＥ））の「pusch-TimeDomainAllocationList」又は「PUSCH-TimeDomainResourceAllocationList」）によって与えられてもよいし、又は、予め仕様で定められてもよい。
【００３２】
例えば、ＵＥは、スロット＃ｎでＰＵＳＣＨをスケジューリングするＤＣＩを検出する場合、当該ＤＣＩ内のＴＤＲＡフィールド値ｍによって与えられる行インデックス（例えば、ｍ＋１）が示す上記Ｋ２情報に基づいて、当該ＰＵＳＣＨを送信するスロットを決定してもよい。
【００３３】
また、ＵＥは、当該ＤＣＩ内のＴＤＲＡフィールド値ｍによって与えられる行インデックス（例えば、ｍ＋１）が示すＳＬＩＶに基づいて、上記決定されたスロット内でＰＵＳＣＨに割り当てられる開始シンボルＳ及びシンボル数Ｌを決定してもよい。
【００３４】
具体的には、ＵＥは、所定のルールに基づいて、当該ＳＬＩＶから、開始シンボルＳ及びシンボル数Ｌを導出してもよい。当該所定のルールは、例えば、（Ｌ−１）が７以下の場合、下記式１であり、（Ｌ−１）が７より大きい場合、下記式２であってもよい。
（式１）（Ｌ−１）≦７の場合
ＳＬＩＶ＝１４・（Ｌ−１）＋Ｓ        
（式２）（Ｌ−１）＞７の場合
ＳＬＩＶ＝１４・（Ｌ−１）＋（１４−１−Ｓ）        
【００３５】
或いは、ＵＥは、当該ＤＣＩ内のＴＤＲＡフィールド値ｍによって与えられる行インデックス（例えば、ｍ＋１）が直接示す開始シンボルＳ及びシンボル数Ｖに基づいて、上記決定されたスロット内でＰＵＳＣＨに割り当てられる開始シンボルＳ及びシンボル数Ｌを決定してもよい。
【００３６】
また、ＵＥは、当該ＤＣＩ内のＴＤＲＡフィールド値ｍによって与えられる行インデックス（例えば、ｍ＋１）が示すマッピングタイプ情報に基づいて、ＰＵＳＣＨのマッピングタイプを決定してもよい。
【００３７】
図２Ｂでは、有効なＰＵＳＣＨの割り当てとしてＵＥに認識される開始シンボルＳ及びシンボル数Ｌの一例が示される。図２Ｂに示すように、ＰＵＳＣＨのマッピングタイプ及びサイクリックプリフィクス（Cyclic  Prefix（ＣＰ））長の少なくとも一つ毎に、有効なＰＵＳＣＨの割り当てと認識される開始シンボルＳ、シンボル数Ｌの値が示されてもよい。
【００３８】
図２Ｂに示すように、Ｒｅｌ．１５以前のＮＲでは、開始シンボルＳ及びシンボル数Ｌの最大値は、１４である。これは、１スロット内でＰＵＳＣＨを割り当てることを想定しており、かつＳ＝０はスロットの最初のシンボル（シンボル＃０）で固定されているというふうに、上述のマルチセグメント送信が想定されていないためである。
【００３９】
なお、上記では、ＳＬＩＶがＤＣＩ内のＴＤＲＡフィールド値によって示される場合（例えば、ＤＣＩ（ＵＬグラント、動的グラント）によりＰＵＳＣＨがスケジューリングされる場合、又は、タイプ２設定グラントの場合）について説明したが、これに限られない。ＳＬＩＶは上位レイヤパラメータによって設定されてもよい（例えば、タイプ１設定グラントの場合）。
【００４０】
また、上記では、ＰＵＳＣＨに対する時間領域リソースの割り当てについて説明したが、ＰＤＳＣＨに対する時間領域リソースも同様に割り当てられてもよい。ＰＤＳＣＨに対する時間領域リソースの割り当ては、上記におけるＰＵＳＣＨをＰＤＳＣＨに置き換えて適用可能である。
【００４１】
また、ＰＤＳＣＨの場合、上記Ｋ２情報は、ＤＣＩと、当該ＤＣＩによりスケジュールされるＰＤＳＣＨとの間のオフセットＫ０（ｋ０、Ｋ０等ともいう）を示す情報（オフセット情報、Ｋ０情報等ともいう）と置き換えられればよい。なお、ＰＤＳＣＨの開始シンボルＳ及びシンボル数Ｌの導出は上記式（１）又は（２）と同一の式が用いられてもよいし、異なる式が用いられてもよい。また、ＰＤＳＣＨの場合、上記ＤＣＩは、例えば、ＤＣＩフォーマット１＿０又は１＿１であってもよい。
【００４２】
（繰り返し送信）
ＮＲでは、ＰＵＳＣＨ又はＰＤＳＣＨを繰り返して（with  repetition）送信することが検討されている。具体的には、ＮＲでは、一以上の送信機会で同一のデータに基づくＴＢを送信することが検討されている。各送信機会は１スロット内であり、連続するＮ個のスロットにおいて当該ＴＢがＮ回送信されてもよい。この場合、送信機会、スロット、繰り返しは相互に言い換え可能である。
【００４３】
当該繰り返し送信は、スロットアグリゲーション（slot-aggregation）送信、マルチスロット送信等と呼ばれてもよい。当該繰り返し回数（アグリゲーション数、アグリゲーションファクター）Ｎは、上位レイヤパラメータ（例えば、ＲＲＣ  ＩＥの「pusch-AggregationFactor」又は「pdsch-AggregationFactor」）及びＤＣＩの少なくとも一つによってＵＥに指定されてもよい。
【００４４】
連続するＮ個のスロット間では、同一のシンボル割り当てが適用されてもよい。スロット間で同一のシンボル割り当ては、上記時間領域リソース割り当てで説明したように決定されてもよい。例えば、ＵＥは、ＤＣＩ内の所定フィールド（例えば、ＴＤＲＡフィールド）の値ｍに基づいて決定される開始シンボルＳ及びシンボル数Ｌに基づいて各スロットにおけるシンボル割り当てを決定してもよい。なお、ＵＥは、ＤＣＩの所定フィールド（例えば、ＴＤＲＡフィールド）の値ｍに基づいて決定されるＫ２情報に基づいて、最初のスロットを決定してもよい。
【００４５】
一方、当該連続するＮ個のスロット間では、同一データに基づくＴＢに適用される冗長バージョン（Redundancy  Version（ＲＶ））は、同一であってもよいし、又は、少なくとも一部が異なってもよい。例えば、ｎ番目のスロット（送信機会、繰り返し）で当該ＴＢに適用されるＲＶは、ＤＣＩ内の所定フィールド（例えば、ＲＶフィールド）の値に基づいて決定されてもよい。
【００４６】
連続するＮ個のスロットで割り当てたリソースが、ＴＤＤ制御のための上下リンク通信方向指示情報（例えば、ＲＲＣ  ＩＥの「TDD-UL-DL-ConfigCommon」、「TDD-UL-DL-ConfigDedicated」）及びＤＣＩ（例えば、ＤＣＩフォーマット２＿０）のスロットフォーマット識別子（Slot  format  indicator）の少なくとも一つで指定される各スロットのＵＬ、ＤＬ又はフレキシブル（Flexible））と少なくとも1シンボルにおいて通信方向が異なる場合、当該シンボルを含むスロットのリソースは送信しない（または受信しない）ものとしてもよい。
【００４７】
（周波数ホッピング）
ＮＲでは、信号／チャネルに周波数ホッピング（frequency  hopping（ＦＨ））が適用されてもよい。について説明する。例えば、ＰＵＳＣＨには、スロット間周波数ホッピング（inter-slot  frequency  hopping）又はスロット内周波数ホッピング（intra-slot   frequency  hopping）が適用されてもよい。
【００４８】
スロット内周波数ホッピングは、上記繰り返して送信されるＰＵＳＣＨ及び繰り返しなしに（１回）送信されるＰＵＳＣＨの双方に適用されてもよい。スロット間周波数ホッピングは、上記繰り返して送信されるＰＵＳＣＨに適用されてもよい。
【００４９】
周波数ホップ（単にホップともいう）間（例えば、第１ホップ及び第２ホップ間）の周波数オフセット（単にオフセットともいう）は、上位レイヤパラメータ及びＤＣＩ内の所定フィールド値の少なくとも一つに基づいて決定されてもよい。例えば、ＤＣＩによるグラント（動的グラント）又はＤＣＩによりアクティブ化が制御される設定グラント（タイプ２設定グラント）用に複数のオフセット（例えば、２又は４のオフセット）が上位レイヤパラメータにより設定され、ＤＣＩ内の所定フィールド値により当該複数のオフセットの一つが指定されてもよい。
【００５０】
図３Ａ及び３Ｂは、周波数ホッピングの一例を示す図である。図３Ａに示すように、スロット間周波数ホッピングは、繰り返し送信に適用され、スロット毎に周波数ホッピングが制御されてもよい。各ホップの開始ＲＢは、ＰＵＳＣＨに割りてられる周波数領域リソースの開始ＲＢのインデックスＲＢｓｔａｒｔ、上位レイヤパラメータ及びＤＣＩ内の所定フィールド値の少なくとも一つによって与えられるオフセットＲＢｏｆｆｓｅｔ、及び、所定の帯域内（例えば、ＢＷＰ）のサイズ（ＲＢ数）ＮＢＷＰの少なくとも一つに基づいて決定されてもよい。
【００５１】
例えば、図３Ａに示すように、スロット番号が偶数のスロットの開始ＲＢのインデックスは、ＲＢｓｔａｒｔであり、スロット番号が奇数のスロットの開始ＲＢのインデックスは、ＲＢｓｔａｒｔ、ＲＢｏｆｆｓｅｔ及びＮＢＷＰを用いて（例えば、下記式（３）により）計算されてもよい。
式（３）
（ＲＢｓｔａｒｔ＋ＲＢｏｆｆｓｅｔ）  mod  ＮＢＷＰ
【００５２】
ＵＥは、ＤＣＩ内の所定フィールド（例えば、周波数領域リソース割り当て（Frequency  Domain  Resource  Allocation（ＦＤＲＡ））フィールド）の値に基づいて決定される各スロット（繰り返し、送信機会）に割り当てられる周波数領域リソース（例えば、リソースブロック、物理リソースブロック（Physical  Resource  Block（ＰＲＢ）））を決定してもよい。ＵＥは、当該ＦＤＲＡフィールドの値に基づいてＲＢｓｔａｒｔを決定してもよい。
【００５３】
なお、図３Ａに示すようにスロット間周波数ホッピングが適用される場合、スロット内では、周波数ホッピングは適用されなくともよい。
【００５４】
図３Ｂに示すようにスロット内周波数ホッピングは、繰り返しなしの送信に適用されてもよいし、又は、図示しないが繰り返し送信の各スロット（送信機会）内で適用されてもよい。図３Ｂにおいて各ホップの開始ＲＢは、図３Ａで説明したスロット間周波数ホッピングと同様に決定されてもよい。
【００５５】
図３Ｂのスロット内周波数ホッピングでは、各ホップのシンボル数（各ホップの境界、周波数ホッピング境界）が、ある送信機会のＰＵＳＣＨに割り当てられるシンボル数Ｎｓｙｍｂに基づいて決定されてもよい。
【００５６】
以上の時間領域リソース割り当て、繰り返し送信、及び、周波数ホッピングは、ある送信機会において信号／チャネルに割り当てられる時間領域リソースは単一のスロット内である（スロット境界を跨がない）ことを前提として設計されている。
【００５７】
一方、上述のように、ＮＲ（例えば、Ｒｅｌ．１６以降）では、ある送信機会において複数のスロットに渡って（スロット境界を跨いで）時間領域リソースを割り当てるマルチセグメント送信の導入が検討されている。したがって、マルチセグメント送信をどのように制御するかが問題となる。
【００５８】
そこで、本発明者らは、マルチセグメント送信にも適用可能な時間領域リソースの決定（第１の態様）、繰り返し送信（第２の態様）、繰り返し送信時の周波数ホッピング（第３の態様）、１送信機会内での周波数ホッピング（第４態様）を検討し、ある送信機会において一以上のスロットに渡って割り当てられる時間領域リソースを用いた信号／チャネルの送信又は受信を適切に制御することを着想した。
【００５９】
以下、本開示に係る実施形態について、図面を参照して詳細に説明する。なお、以下の第１〜第４の態様は、それぞれ、単独で用いられてもよいし、少なくとも２つの態様を組み合わせて用いられてもよい。
【００６０】
（第１の態様）
第１の態様では、マルチセグメント送信にも適用可能な時間領域リソースの決定について説明する。上述のように、Ｒｅｌ．１５では、ある送信機会においてＰＵＳＣＨ又はＰＤＳＣＨに割り当てられる時間領域リソースは単一のスロット内である（スロット境界を跨がない）ことを前提とし、スロットの最初を基準に開始シンボルＳ及びシンボル数Ｌが決定される。したがって、ＵＥは、ある送信機会において一以上のスロットに渡って（スロット境界を跨いで）ＰＵＳＣＨ又はＰＤＳＣＨの割り当てられる時間領域リソースを適切に決定できない恐れがある。
【００６１】
そこで、第１の態様では、ある送信機会におけるＰＵＳＣＨ又はＰＤＳＣＨの開始シンボルの基準となるタイミングを通知する（第１の時間領域リソース決定）。又は、連続する複数のスロット内で複数のシンボルで構成されるユニット毎にインデックスを付す（第１の時間領域リソース決定）。これにより、ある送信機会において一以上のスロットに渡って（スロット境界を跨いで）割り当てられる時間領域リソースを適切に決定できる。
【００６２】
以下の第１の態様では、ＰＵＳＣＨを中心に説明するが、他のチャネル（例えば、ＰＵＵＳＣＨ）にも適宜適用可能である。また、以下では、動的グラントベースのＰＵＳＣＨについて説明するが、タイプ２の設定グラント又はタイプ１の設定グラントベースのＰＵＳＣＨにも適宜適用可能である。
【００６３】
＜第１の時間領域リソース決定＞
第１の時間領域リソース決定では、ＵＥは、ＰＵＳＣＨの開始シンボルの基準となるタイミング（基準タイミング、基準開始タイミング、シンボルタイミング、開始シンボルタイミング等ともいう）に関する情報を受信してもよい。
【００６４】
基準タイミングに関する情報は、例えば、基準タイミングを示す値（基準タイミング値）Ｓ’を示す情報であってもよい。当該基準タイミング値Ｓ’は、例えば、スロットの先頭（start）に対するオフセット値、又は、スロットの先頭からのシンボル数等であってもよい。
【００６５】
当該基準タイミング値Ｓ’は、上位レイヤパラメータ及びＤＣＩ（例えば、ＰＵＳＣＨをスケジューリングするＤＣＩ）内の所定フィールドの値の少なくとも一つによって指定されてもよい。当該所定フィールドは、ＳＬＩＶの決定に用いられるＴＤＲＡフィールドとは別の所定フィールド（基準タイミングフィールド等ともいう）であってもよい。当該所定フィールドの値は、基準タイミング値Ｓ’の一以上の候補値の一つを示してもよい。当該候補値は、予め仕様で定められてもよいし、上位レイヤパラメータ（例えば、ＲＲＣ  ＩＥ）によって設定（configure）されてもよい。
【００６６】
ＵＥは、上位レイヤパラメータ及びＤＣＩ内の所定フィールド値の少なくとも一つに基づいて、基準タイミング値Ｓ’を決定してもよい。また、ＵＥは、当該基準タイミング値Ｓ’と、ＳＬＩＶ（又は開始シンボルＳ及びシンボル数Ｌ）とに基づいて、ＰＵＳＣＨに割り当てられる時間領域リソースを決定してもよい。
【００６７】
例えば、ＵＥは、スロットの先頭を基準とする代わりに、スロットの先頭に対して基準タイミング値Ｓ’を与えたシンボルを基準として、ＳＬＩＶ（又は開始シンボルＳ及びシンボル数Ｌ）に基づいて、ＰＵＳＣＨに割り当てられる時間領域リソースを決定してもよい。
【００６８】
上記の通り、ＵＥは、ＰＵＳＣＨをスケジューリングするＤＣＩ内のＴＤＲＡフィールドの値ｍに基づいてＳＬＩＶを決定してもよい。具体的には、ＵＥは、所定のテーブルにおいて、ＴＤＲＡフィールドの値ｍによって定まる行インデックスによって示されるＳＬＩＶ（又は開始シンボルＳ及びシンボルＬ）を決定してもよい。ＵＥは、当該ＳＬＩＶに基づいて開始シンボルＳ及びシンボル数を導出してもよい。
【００６９】
なお、ＵＥは、当該ＴＤＲＡフィールドの値ｍに基づいて上記基準タイミング値Ｓ’を決定してもよい。具体的には、ＵＥは、所定のテーブルにおいて、ＴＤＲＡフィールドの値ｍによって定まる行インデックスによって示される基準タイミング値Ｓ’を決定してもよい。この場合、上記ＰＵＳＣＨ時間領域割り当てパラメータは、基準タイミング値Ｓ’を含んでもよい。これにより、ＤＣＩ内に新たなフィールドを追加せずに、基準タイミング値Ｓ’を指定できる。
【００７０】
ＵＥは、以上のように決定される基準タイミング値Ｓ’が示すシンボルに対して相対的な（relative  to）開始シンボルＳから連続するシンボル数Ｌのシンボルを、ＰＵＳＣＨに割り当てられる時間領域リソースとして決定してもよい。
【００７１】
図４は、第１の態様に係る時間領域リソースの決定の一例を示す図である。例えば、図４において、ＵＥは、ＤＣＩ内のＴＤＲＡフィールド値ｍに基づいて決定されるＳＬＩＶに基づいて開始シンボルＳ＝０が決定される。また、ＤＣＩ内の所定フィールド値に基づいて基準タイミング値Ｓ’が決定される。
【００７２】
ＵＥは、所定スロット（例えば、上記Ｋ２情報に基づいて決定されるスロット）において、シンボル＃Ｓ’から開始シンボルＳ後のシンボル＃Ｓ’＋Ｓから連続するシンボル数Ｌ（すなわち、シンボル＃Ｓ’＋Ｓ〜シンボル＃Ｓ’＋Ｓ＋Ｌ）を、ＰＵＳＣＨに対して割り当てられる時間領域リソースとして決定してもよい。
【００７３】
このように、開始シンボルＳは、基準タイミング値Ｓ’によって定まる基準タイミング（例えば、インデックスＳ’のシンボル（シンボル＃Ｓ’））に対するオフセット値（相対的な開始シンボルを示す値、相対的な開始タイミングを示す値、又は、相対的な開始位置を示す値等ともいう）であってもよい。
【００７４】
図５は、第１の態様に係る第１の時間領域リソース決定の一例を示す図である。例えば、図５では、基準タイミング値Ｓ’の候補値が０、３、７、１０である一例が示される。なお、当該候補値は例示にすぎず、候補値の数、値等は、図示するものに限られない。
【００７５】
また、図５では、ＤＣＩ内のＴＤＲＡフィールド値ｍに基づいて決定される開始シンボルＳが０であり、シンボル数Ｌが１４である一例を示すが、開始シンボルＳ及びシンボル数Ｌはこれに限られない。ＵＥは、当該ＴＤＲＡフィールド値ｍに基づいてＫ２情報を決定し、当該Ｋ２情報に基づいて決定されるスロットのシンボル＃Ｓ’＋Ｓから連続するＬ個のシンボルを、ＰＵＳＣＨに割り当てられる時間領域リソースとして決定する。
【００７６】
図５に示すように、基準タイミング値Ｓ’が０より大きい（図４では、３、７、１０である）場合、当該ＰＵＳＣＨは、スロット境界を跨いで複数のスロット内の連続するシンボルに割り当てられる。ＵＥは、当該複数のスロットそれぞれに対応して当該ＰＵＳＣＨ（一つ又は複数のＴＢ）をセグメント化して送信してもよい。
【００７７】
このように、基準オフセット値Ｓ’をＵＥに通知することにより、ＤＣＩ内のＴＤＲＡフィールド値ｍに基づいて、ＰＵＳＣＨに割り当てられる時間領域リソースをシンボルベースで決定できる。この場合、シングルセグメント送信（例えば、図５では、Ｓ’＝０）及びマルチセグメント送信（例えば、図５では、Ｓ’＝３、７又は１０）との双方について、シンボルベースで時間領域リソースを割り当てることができる。
【００７８】
なお、ＤＣＩ内の基準タイミング値Ｓ’を示す所定フィールドのサイズ（ビット数）は、仕様で予め定められてもよいし、上位レイヤパラメータ（例えば、ＲＲＣ  ＩＥ）によって設定される基準タイミング値Ｓ’の候補値の数ＸＳ’に基づいて決定されてもよい。例えば、当該所定フィールドのサイズは、ceil｛log2（ＸＳ’）｝で求められてもよい。
【００７９】
また、当該基準タイミング値Ｓ’を示す所定フィールドを含むＤＣＩは、ＰＵＳＣＨのスケジューリングに用いられるＤＣＩであり、例えば、ＤＣＩフォーマット０＿０又は０＿１、又は、他のＤＣＩフォーマットであってもよい。当該他のＤＣＩフォーマットは、例えば、特定のトラフィック（例えば、Ultra  Reliable  and  Low  Latency  Communications（ＵＲＬＬＣ））のタイプのＰＵＳＣＨをスケジューリングするＤＣＩフォーマットであってもよい。
【００８０】
ＵＥは、当該基準タイミング値Ｓ’を示す所定フィールドがＤＣＩ内に含まれるか否かを、以下の（１）〜（４）の少なくとも一つに基づいて決定してもよい。
（１）当該ＤＣＩの冗長検査チェック（Cyclic  Redundancy  Check）ビットのスクランブル（ＣＲＣスクランブル）に用いられる無線ネットワーク一時識別子（Radio  Network  Temporary  Identifier（ＲＮＴＩ））
（２）当該ＤＣＩフォーマットのサイズ
（３）当該ＤＣＩが監視（monitor）されるサーチスペースの構成（configuration）]
（４）当該ＤＣＩが検出される周波数帯域（例えば、コンポーネントキャリア（Component  Carrier（ＣＣ））（セル、サービングセル、キャリア等ともいう）又は帯域幅部分（Bandwidth  Part（ＢＷＰ）））
【００８１】
ＤＣＩフォーマット０＿０によってＰＵＳＣＨがスケジュールされる場合、ＵＥは、当該ＤＣＩフォーマット０＿０内に基準タイミング値Ｓ’を示す所定フィールドが含まれないと想定（assume）又は予期（expect）する、あるいはＳ’の値が０であると想定（assume）又は予期（expect）してもよい。また、ＵＥは、ある送信機会においてＰＵＳＣＨは１スロット内で（スロット境界を跨がずに）割り当てられると想定してもよい。
【００８２】
第１の時間領域リソース決定では、基準オフセット値Ｓ’をＵＥに通知することにより、既存のＳＬＩＶ（又は開始シンボルＳ及びシンボル数Ｌ）による時間領域リソースの決定方式を再利用して、マルチセグメント送信用のＰＵＳＣＨの時間領域リソースを適切に決定できる。
【００８３】
＜第２の時間領域リソース決定＞
第２の時間領域リソース決定では、ＰＵＳＣＨに対する時間領域リソースは、シンボルとは異なる時間ユニット（例えば、連続する複数のシンボルを含む時間ユニット）に基づいて割り当てられてもよい。
【００８４】
第２の時間領域リソース決定では、ＰＵＳＣＨに対する時間領域リソースを連続する複数のシンボルを含む時間ユニットベースで割り当てることにより、スロット境界を跨ぐ時間領域リソースの割り当て（すなわち、マルチセグメント送信）が実現されてもよい。
【００８５】
具体的には、連続する複数のスロット内に含まれる各時間ユニットにインデックス（ユニットインデックス、時間ユニットインデックス等ともいう）が付されてもよい。例えば、当該複数のスロット内には１４個の時間ユニットが含まれ、当該１４個の時間ユニットに時間方向に昇順にユニットインデックス＃０〜＃１３が付されてもよい。
【００８６】
各時間ユニットを構成するシンボル数は、いくつのシンボル境界を跨いでＰＵＳＣＨが割り当てられるか（すなわち、単一のＰＵＳＣＨ（一つの繰り返し）が割り当てられるスロット数）によって決定されてもよい。例えば、一つのシンボル境界を跨いで２つのスロットに渡って割り当てられる場合、各時間ユニットは、連続する２シンボルで構成されてもよい。各時間ユニットを構成するシンボル数は、同一でなくともよく、例えば、連続する複数のスロット内で３及び４シンボルの時間ユニットが混在してもよい。
【００８７】
各時間ユニットを構成するシンボル数（ユニットパターン、ユニット構成等ともいう）は、予め仕様で定められてもよいし、上位レイヤパラメータによって設定されてもよい。
【００８８】
ＵＥは、ＤＣＩ内のＴＤＲＡフィールド値ｍに基づいて決定されるＳＬＩＶは、開始シンボルＳ及びシンボル数Ｌの組み合わせを示す代わりに、ＰＵＳＣＨに割り当てられる最初の時間ユニット（開始ユニット）Ｓ及び当該時間ユニットＳから連続する時間ユニット数Ｌの組み合わせを示す識別子として利用されてもよい。
【００８９】
具体的には、ＵＥは、所定のテーブルにおいて、ＤＣＩ内のＴＤＲＡフィールド値ｍによって定まる行インデックスによって示されるＳＬＩＶ（又はＳ及びＬ）を決定してもよい。ＵＥは、当該ＳＬＩＶに基づいて開始ユニットＳ及びユニット数Ｌを導出してもよい。或いは、ＵＥは、所定のテーブルにおいて、ＤＣＩ内のＴＤＲＡフィールド値ｍによって定まる行インデックスによって示される開始ユニットＳ及びユニット数Ｌを決定してもよい。
【００９０】
図６Ａ及び６Ｂは、第１の態様に係る第２の時間領域リソース決定の一例を示す図である。例えば、図６Ａ及び６Ｂでは、ＤＣＩ内のＴＤＲＡフィールド値ｍに基づいて決定されるＳＬＩＶによって、Ｓ＝３及びＬ＝７が導出されるものとするが、Ｓ及びＬの値は図示するものに限られない。
【００９１】
図６Ａに示すように、シンボルベースの場合、開始シンボル＃Ｓ（ここでは、Ｓ＝３）から連続するＬシンボル（Ｌ＝７）がＰＵＳＣＨに割り当てられる。一方、図６Ｂに示すように、時間ユニットベースの場合、開始ユニット＃Ｓ（ここでは、Ｓ＝３）から連続するＬユニット（Ｌ＝７）がＰＵＳＣＨに割り当てられる。
【００９２】
図６Ｂに示すように、時間ユニットベースの場合、ＳＬＩＶ又はＳ及びＬの値が、ＰＵＳＣＨに割り当てられるシンボルを示す値から、ＰＵＳＣＨに割り当てられる時間ユニットを示す値として読み替えられる。
【００９３】
また、時間ユニットベースの場合、ＰＵＳＣＨに割り当てられる時間領域リソースの最小値は、１時間ユニットの長さ（例えば、図６Ｂでは、２シンボル）と等しくなる。また、当該時間領域リソースの最大値は、１時間ユニットの長さに時間ユニット数（１４）を乗算した値（例えば、図６Ｂでは、２８シンボル）となる。
【００９４】
図６Ｂに示すように、ＳＬＩＶ（又はＳ及びＬ）をＰＵＳＣＨに割り当てられる時間ユニットを示す値として読み替えることにより、既存の方式を再利用して、複数のスロットに渡る時間領域リソースをＰＵＳＣＨに割り当てることが可能となる。
【００９５】
なお、ＵＥは、ＳＬＩＶ又はＳ及びＬの値がシンボルベース又はユニットベースのどちらでＰＵＳＣＨに対する時間領域リソースを示すかを、以下の（１）〜（４）の少なくとも一つに基づいて決定してもよい。
（１）ＤＣＩのＣＲＣスクランブルに用いられるＲＮＴＩ
（２）当該ＤＣＩフォーマットのサイズ
（３）当該ＤＣＩが監視されるサーチスペースの構成
（４）当該ＤＣＩが検出される周波数帯域（例えば、ＣＣ又はＢＷＰ）
【００９６】
或いは、ＳＬＩＶ又はＳ及びＬの値がシンボルベース又はユニットベースのどちらでＰＵＳＣＨに対する時間領域リソースを示すかは、上位レイヤパラメータ（例えば、ＲＲＣ  ＩＥ）によってＵＥに設定されてもよい。
【００９７】
ＤＣＩフォーマット０＿０によってＰＵＳＣＨがスケジュールされる場合、ＵＥは、当該ＤＣＩフォーマット０＿０内のＴＤＲＡフィールド値に基づいて決定されるＳＬＩＶ（又はＳ及びＬ）は、シンボルベースであると想定（assume）又は予期（expect）してもよい。
【００９８】
第２の時間領域リソース決定では、第１の時間領域リソース決定のように基準タイミング値Ｓ‘を通知せずとも、既存のＳＬＩＶ（又は開始シンボルＳ及びシンボル数Ｌ）による時間領域リソースの決定方式を再利用して、マルチセグメント送信用のＰＵＳＣＨの時間領域リソースを適切に決定できる。
【００９９】
以上のように、第１の態様では、ある送信機会において単一のスロット内の時間領域リソースの割り当てを前提とした方式を再利用しながら、マルチセグメント送信に割り当てられる時間領域リソースを決定できる。このため、実装負荷の増加を抑制しながら、マルチセグメント送信を導入できる。
【０１００】
（第２の態様）
第２の態様では、マルチセグメント送信の繰り返しについて説明する。ＵＥは、繰り返し回数（アグリゲーションファクター、アグリゲーション数、繰り返しファクター等ともいう）Ｘを示す情報を受信する場合、ＵＥは、マルチセグメント送信がＸ回繰り返される（Ｘ回の送信機会）と想定してもよい。
【０１０１】
ＵＥは、各繰り返し（送信機会）に同一のパターンを用いて時間領域リソースが割り当てられると想定してもよい。当該パターンは、ある送信機会における開始位置及び時間長の少なくとも一つを含んでもよい。
【０１０２】
例えば、当該パターンは、基準タイミング値Ｓ’によって示される基準タイミング（例えば、シンボル＃Ｓ’）に対する相対的な開始シンボル及びシンボル数を含んでもよいし（上記第１の時間領域リソース決定）、又は、スロットの最初に対する開始ユニット及びユニット数を含んでもよい（上記第２の時間領域リソース決定）。このように、第２の態様は、第１の態様と組み合わせて適用することができる。
【０１０３】
また、ＵＥは、繰り返し回数Ｘのマルチセグメント送信には、Ｘ個よりも大きい数Ｘ’（例えば、Ｘ’＝Ｘ＋１）個の連続するスロットが利用されてもよいし（第１の繰り返し送信）、又は、Ｘ個の連続するスロットが利用されてもよい（第２の繰り返し送信）。
【０１０４】
以下の第２の態様では、ＰＵＳＣＨを中心に説明するが、他のチャネル（例えば、ＰＵＵＳＣＨ）にも適宜適用可能である。また、以下では、動的グラントベースのＰＵＳＣＨについて説明するが、タイプ２の設定グラント又はタイプ１の設定グラントベースのＰＵＳＣＨにも適宜適用可能である。
【０１０５】
＜第１の繰り返し送信＞
第１の繰り返し送信では、ＵＥは、マルチセグメント送信の繰り返し回数Ｘよりも多いＸ’個の連続するスロットに渡って、Ｘ回のマルチセグメント送信が繰り返されると想定してもよい。
【０１０６】
図７Ａは、第２の態様に係る第１の繰り返し送信の一例を示す図である。図７Ａでは、単一のＤＣＩにより繰り返し回数Ｘ（ここでは、Ｘ＝４）のＰＵＳＣＨがスケジューリングされる一例が示される。繰り返し回数Ｘは、上位レイヤパラメータ及びＤＣＩの少なくとも一つによりＵＥに指定されればよい。図７Ａでは、ｊ（例えば、１≦ｊ≦Ｘ）回目の繰り返し（送信機会）においてＰＵＳＣＨに割り当てられる時間領域リソースが示される。
【０１０７】
図７Ａに示すように、マルチセグメント送信が適用されない場合、繰り返し回数Ｘと等しい数のスロット（例えば、図７Ａでは４スロット）が、ＰＵＳＣＨの送信に用いられてもよい。一方、マルチセグメント送信が適用される場合、繰り返し回数Ｘよりも大きい数Ｘ’個のスロット（例えば、図７Ａでは５スロット）が、ＰＵＳＣＨの送信に用いられてもよい。
【０１０８】
マルチセグメント送信のＸ回の繰り返し（送信機会）間では、同一のデータに基づくＴＢに対して異なるＲＶが適用されてもよい。Ｘ回の繰り返しの各々に適用されるＲＶは、ＤＣＩ内の所定フィールド（例えば、ＲＶフィールド）の値によって指定されてもよいし、又は、ＲＲＣシグナリング（上位レイヤパラメータ）等で設定されてもよい。
【０１０９】
図７Ａに示すように、マルチセグメント送信であるか否かに関係なく、Ｘ回の繰り返し（送信機機会）の全てにおいて、同一のパターンで割り当てられる時間領域リソースが用いられてもよい。この場合、マルチセグメント送信が行われる場合においても繰り返しのゲインを適切に得ることができる。
【０１１０】
＜第２の繰り返し送信＞
第２の繰り返し送信では、ＵＥは、マルチセグメント送信の繰り返し回数Ｘと等しい数の連続するスロットを超えるシンボルを含む送信機会では、マルチセグメント送信少なくとも一部の送信が中止されると想定してもよい。
【０１１１】
図７Ｂは、第２の態様に係る第２の繰り返し送信の一例を示す図である。図７Ｂでは、図７Ａとの相違点を中心に説明する。図７Ｂに示すように、マルチセグメント送信が適用される場合、所定の送信機会（例えば、ｊ（＝Ｘ）回目の送信機会）のマルチセグメント送信用の一部の時間領域リソースは、連続するＸ個のスロットを超えて割り当てられる。この場合、ＵＥは、当該一部の時間領域リソースにおける送信（一部のセグメントの送信）を中止してもよい。
【０１１２】
図７Ｂでは、繰り返し回数Ｘと等しい数の連続するスロット（図７Ｂでは、４スロット）だけが、マルチセグメント送信の繰り返しに用いられる。このため、マルチセグメント送信の繰り返しにおいて繰り返し回数Ｘと連続するスロット数とが一致しないことに起因して、スケジューリングの制御が複雑化するのを防止できる。
【０１１３】
以上のように、第２の態様によれば、マルチセグメント送信を繰り返して行う場合にも、ＵＥは適切な制御を行うことができる。マルチセグメント送信が行われるスロット数を設定された繰り返し回数と同じ回数とすることで、基地局はリソース制御を適切に行うことができる。
【０１１４】
（第３の態様）
第３の態様では、マルチセグメント送信の繰り返しを行う場合における周波数ホッピングについて説明する。シングルセグメント送信の繰り返し時には、上記の通り、スロット間周波数ホッピング（例えば、図３Ａ）を適用可能である。一方、マルチセグメント送信の繰り返し時には、周波数ホッピングをどのように制御するかが問題となる。
【０１１５】
第３の態様において、マルチセグメント送信の繰り返し時の周波数ホッピングは、スロット毎に制御されてもよいし（第１の周波数ホッピング手順）、又は、繰り返し（送信機会）毎に制御されてもよい（第２の周波数ホッピング手順）。
【０１１６】
以下の第３の態様では、ＰＵＳＣＨを中心に説明するが、他のチャネル（例えば、ＰＵＵＳＣＨ）にも適宜適用可能である。また、以下では、動的グラントベースのＰＵＳＣＨについて説明するが、タイプ２の設定グラント又はタイプ１の設定グラントベースのＰＵＳＣＨにも適宜適用可能である。
【０１１７】
＜第１の周波数ホッピング手順＞
第１の周波数ホッピング手順では、マルチセグメント送信が繰り返される場合、スロット境界を周波数ホッピング境界として、１送信機会（１繰り返し、１マルチセグメント送信）内の周波数ホッピングが適用されてもよい。
【０１１８】
図８は、第３の態様に係る第１の周波数ホッピング手順の一例を示す図である。図８では、図３Ａとの相違点を中心に説明する。図８では、上位レイヤパラメータ及びＤＣＩの少なくとも一つにより、ホップ間のオフセットＲＢｏｆｆｓｅｔが指定されてもよい。
【０１１９】
ＵＥは、Ｘ回繰り返して送信されるマルチセグメント送信に割り当てられる開始ＲＢのインデックスを、ＤＣＩ内の所定フィールド値（例えば、ＦＤＲＡフィールド値）又は上位レイヤパラメータ（例えば、ＲＲＣ  ＩＥ「rrc-ConfiguredUplinkGrant」内の「frequencyDomainAllocation」）に基づいて決定してもよい。
【０１２０】
図８に示すように、マルチセグメント送信の繰り返しでは、一つの送信機会（一つの繰り返し）内で、スロット境界を周波数ホッピング境界として、周波数リソースがホッピングしてもよい。
【０１２１】
例えば、図８では、ｊ回目の送信機会内でスロット境界より前のセグメント（第１セグメント）の開始ＲＢのインデックスは、ＲＢｓｔａｒｔであり、当該送信機会内でスロット境界後のセグメント（第２セグメント）の開始ＲＢのインデックスは、ＲＢｓｔａｒｔ、ＲＢｏｆｆｓｅｔ及びＮＢＷＰの少なくとも一つを用いて（例えば、上記式（３）により）計算されてもよい。
【０１２２】
なお、図示しないが、当該第１セグメントの開始ＲＢがＲＢｓｔａｒｔ、ＲＢｏｆｆｓｅｔ及びＮＢＷＰの少なくとも一つを用いて決定され、当該第２セグメントの開始ＲＢがＲＢｓｔａｒｔであってもよいことは勿論である。
【０１２３】
図８において、送信機会間において周波数ホッピングのパターンは同一であるが、これに限られない。例えば、図９に示すように、送信機会間において周波数ホッピングのパターンは異なってもよい。具体的には、図９に示すように、隣接する送信機会（ｊ回目の送信機会及びｊ＋１回目の送信機会）間では、第１セグメントの開始ＲＢのインデックスと第２セグメントの開始ＲＢのインデックスとが入れ替えられてもよい。
【０１２４】
例えば、図９では、ｊ回目（例えば、ｊは奇数）の送信機会の第１セグメントの開始ＲＢのインデックスは、ＲＢｓｔａｒｔであり、当該送信機会の第２セグメントの開始ＲＢのインデックスは、ＲＢｓｔａｒｔ、ＲＢｏｆｆｓｅｔ及びＮＢＷＰの少なくとも一つ基づいて計算された値（例えば、式（３））であってもよい。この場合、例えば、図９のように、スロット内では周波数ホッピングしない（つまり同じ周波数リソースを用いる）パターンとすることができる。
【０１２５】
一方、ｊ＋１回目（例えば、ｊ＋１は偶数）の送信機会の第１セグメントの開始ＲＢのインデックスは、ＲＢｓｔａｒｔ、ＲＢｏｆｆｓｅｔ及びＮＢＷＰの少なくとも一つ基づいて計算された値（例えば、式（３））であり、当該送信機会のスロット＃ｎ＋２に属する第２セグメントの開始ＲＢのインデックスは、ＲＢｓｔａｒｔであってもよい。なお、図８、９は、例示にすぎず、各ホップの開始ＲＢは図示するものに限られない。
【０１２６】
このように、第１セグメント及び第２セグメントの開始ＲＢは、何回目の送信機会であるかに基づいて決定されてもよい。
【０１２７】
或いは、第１セグメント及び第２セグメントの開始ＲＢは、どのスロット番号のスロットから始まる送信機会であるかに基づいて決定されてもよい。例えば、偶数のスロット番号のスロットから始まる送信機会の第１セグメントの開始ＲＢのインデックスがＲＢｓｔａｒｔである場合、奇数のスロット番号から始まる送信機会の第１セグメントの開始ＲＢのインデックスは、ＲＢｓｔａｒｔ、ＲＢｏｆｆｓｅｔ及びＮＢＷＰの少なくとも一つ基づいて計算された値（例えば、式（３））であってもよい。
【０１２８】
図９では、同一のスロット内の異なる送信機会に属するセグメント（例えば、ｊ回目の送信機会の第２セグメント及びｊ＋１回目の送信機会の第１セグメント）の送信に同一の周波数リソースが用いられる。このため、前の送信機会の第２セグメント用のチャネル推定結果を用いて、次の送信機会の第１セグメント用のチャネル推定を行うことができる。
【０１２９】
第１の周波数ホッピング手順では、上位レイヤパラメータによってスロット間周波数ホッピングが設定される場合、マルチセグメント送信には、上記スロット境界を周波数ホッピング境界とする各送信機会内での周波数ホッピング（マルチセグメント送信内周波数ホッピング、送信機会内周波数ホッピング等ともいう）を適用してもよい。
【０１３０】
或いは、上位レイヤパラメータによってスロット内周波数ホッピングが設定される場合、マルチセグメント送信には、上記マルチセグメント送信内周波数ホッピングを適用してもよい。或いは、上位レイヤパラメータによって、スロット間周波数ホッピング又はスロット内間周波数ホッピングとは別に、マルチセグメント送信内周波数ホッピングが設定される場合、マルチセグメント送信には、上記マルチセグメント送信内周波数ホッピングを適用してもよい。
【０１３１】
第１の周波数ホッピング手順では、マルチセグメント送信についてもスロット境界を基準に周波数ホッピングを制御できる。
【０１３２】
＜第２の周波数ホッピング手順＞
第２の周波数ホッピング手順では、マルチセグメント送信が繰り返される場合、送信機会毎に周波数リソースのホッピングが制御されてもよい。
【０１３３】
図１０は、第３の態様に係る第２の周波数ホッピング手順の一例を示す図である。図１０では、図８との相違点を中心に説明する。図１０に示すように、マルチセグメント送信の繰り返しでは、シングルセグメント送信と同様に、送信機会（繰り返し）間で周波数リソースがホッピングしてもよい。
【０１３４】
例えば、図１０では、ｊ回目（例えば、ｊは奇数）の送信機会の開始ＲＢのインデックスは、ＲＢｓｔａｒｔであり、ｊ＋１回目（例えば、ｊ＋１は偶数）の送信機会の第１セグメントの開始ＲＢのインデックスは、ＲＢｓｔａｒｔ、ＲＢｏｆｆｓｅｔ及びＮＢＷＰの少なくとも一つ基づいて計算された値（例えば、式（３））であってもよい。なお、図１０は、例示にすぎず、各ホップの開始ＲＢは図示するものに限られない。
【０１３５】
このように、各送信機会の開始ＲＢは、何回目の送信機会であるかに基づいて決定されてもよい。
【０１３６】
或いは、各送信機会の開始ＲＢは、どのスロット番号のスロットから始まる送信機会であるかに基づいて決定されてもよい。例えば、偶数のスロット番号のスロットから始まる送信機会の開始ＲＢのインデックスがＲＢｓｔａｒｔである場合、奇数のスロット番号から始まる送信機会の開始ＲＢのインデックスは、ＲＢｓｔａｒｔ、ＲＢｏｆｆｓｅｔ及びＮＢＷＰの少なくとも一つ基づいて計算された値（例えば、式（３））であってもよい。
【０１３７】
第２の周波数ホッピング手順では、上位レイヤパラメータによってスロット間周波数ホッピングが設定される場合、マルチセグメント送信には、上記送信機会（繰り返し）間の周波数ホッピング（マルチセグメント送信間周波数ホッピング、送信機会間周波数ホッピング等ともいう）を適用してもよい。
【０１３８】
或いは、上位レイヤパラメータによってスロット内周波数ホッピングが設定される場合、マルチセグメント送信には、上記マルチセグメント送信間周波数ホッピングを適用してもよい。或いは、上位レイヤパラメータによって、スロット間周波数ホッピング又はスロット内間周波数ホッピングとは別に、マルチセグメント送信間周波数ホッピングが設定される場合、マルチセグメント送信には、上記マルチセグメント送信間周波数ホッピングを適用してもよい。
【０１３９】
第２の周波数ホッピング手順では、マルチセグメント送信及びシングルセグメント送信の双方について送信機会間での周波数ホッピングを行うことができる。
【０１４０】
＜変更例＞
上記第１又は第２の周波数ホッピング手順には、第２の態様の第１又は第２の繰り返し送信が組み合わせられてもよい。具体的には、上記図８〜１０では、第２の態様の第１の繰り返し送信（例えば、図７Ａ）で説明したように、ＵＥは、マルチセグメント送信の繰り返し回数Ｘよりも多いＸ’個の連続するスロットに渡って、Ｘ回のマルチセグメント送信が繰り返されると想定する場合を説明したが、これに限られない。
【０１４１】
第２の態様の第２の繰り返し送信（例えば、図７Ｂ）で説明したように、ＵＥは、マルチセグメント送信の繰り返し回数Ｘを超えるスロットでは、マルチセグメント送信の少なくとも一部の送信を中止してもよい。
【０１４２】
例えば、図８に示されるマルチセグメント送信では、４回目の送信機会（ｊ＝４の送送信機会）における第２セグメントは、繰り返し数４を超えるスロット（１回目の送信機会が始まるスロットから５番目のスロット）に属する。このため、ＵＥは、４回目の送信機会における第２セグメントの送信を中止してもよい（送信しなくともよい）。同様に、ＵＥは、図９、１０に示されるマルチセグメント送信においても、４回目の送信機会における第２セグメントの送信を中止してもよい（送信しなくともよい）。
【０１４３】
なお、上記図８〜１０において各送信機会においてＰＵＳＣＨに割り当てられる時間領域リソースは、上記第１の態様で説明した第１又は第２の時間領域リソース決定を適用して決定できることは勿論である。
【０１４４】
以上のように、第３の態様によれば、マルチセグメント送信を繰り返して行う場合にも、周波数ホッピングを適切に制御できる。
【０１４５】
（第４の態様）
第４の態様では、送信機会内での周波数ホッピングについて説明する。シングルセグメント送信については、繰り返し有りの場合及び繰り返し無しで１回送信の場合の双方においてスロット内周波数ホッピング（例えば、図３Ｂ）を適用可能である。一方、マルチセグメント送信については、送信機会内の周波数ホッピング（送信機会内周波数ホッピング（intra-transmission  occasion  frequency  hopping）、マルチセグメント送信内周波数ホッピング（intra-multi-segment  transmission  frequency  hopping）等ともいう）をどのように制御するかが問題となる。
【０１４６】
第４の態様において、送信機会内周波数ホッピングにおける周波数ホッピング境界は、ＰＵＳＣＨに割り当てられるシンボル数Ｎｓｙｍｂに基づいて決定されてもよいし（第１の周波数ホッピング境界決定）、又は、スロット境界に基づいて決定されてもよい（第２の周波数ホッピング境界決定）。
【０１４７】
なお、送信機会内周波数ホッピングは、シングルセグメント送信及びマルチセグメント送信の双方に適用可能である。送信機会内周波数ホッピングは、シングルセグメント送信又はマルチセグメント送信の繰り返し有りの場合及び繰り返し無しで１回送信の場合の少なくとも一つに適用可能である。
【０１４８】
以下の第４の態様では、ＰＵＳＣＨを中心に説明するが、他のチャネル（例えば、ＰＵＵＳＣＨ）にも適宜適用可能である。また、以下では、動的グラントベースのＰＵＳＣＨについて説明するが、タイプ２の設定グラント又はタイプ１の設定グラントベースのＰＵＳＣＨにも適宜適用可能である。
【０１４９】
＜第１の周波数ホッピング境界決定＞
第１の周波数ホッピング境界決定では、ＵＥは、ＰＵＳＣＨに割り当てられるシンボル数Ｎｓｙｍｂに基づいて、周波数ホッピング境界（各ホップのシンボル数）を決定してもよい。
【０１５０】
図１１Ａ及び１１Ｂは、第４の態様に係る第１の周波数ホッピング境界決定の一例を示す図である。図１１Ａ及び１１Ｂでは、図３Ｂとの相違点を中心に説明する。オフセットＲＢＯＦＦＳＥＴは、上位レイヤパラメータ及びＤＣＩ内の所定フィールドの値の少なくとも一つに基づいて決定されてもよい。なお、図１１Ａ及び１１Ｂは、例示にすぎず、各ホップの開始ＲＢは図示するものに限られない。
【０１５１】
図１１Ａに示すように、シングルセグメント送信の場合、ＵＥは、ＰＵＳＣＨに割り当てられるシンボル数Ｎｓｙｍｂに基づいて、所定の送信機会における周波数ホッピング境界を決定してもよい。
【０１５２】
また、図１１Ｂに示すように、マルチセグメント送信の場合、ＵＥは、ＰＵＳＣＨに割り当てられるシンボル数Ｎｓｙｍｂに基づいて、所定の送信機会における周波数ホッピング境界を決定してもよい。
【０１５３】
例えば、図１１Ａ及び１１Ｂでは、ＵＥは、ｆｌｏｏｒ（Ｎｓｙｍｂ／２）により第１ホップのシンボル数を決定し、Ｎｓｙｍｂ−ｆｌｏｏｒ（Ｎｓｙｍｂ／２）により第２ホップのシンボル数を決定する。なお、各ホップのシンボル数の決定は、上記式に限られない。
【０１５４】
図１１Ａ及び１１Ｂにおいて、ＵＥは、ＰＵＳＣＨの開始シンボルのインデックスを基準タイミング値Ｓ’に基づいて決定してもよいし（上記第１の時間領域リソース決定）、又は、連続する複数のシンボルで構成されるユニットのインデックスに基づいて決定してもよい（上記第２の時間領域リソース決定）。このように、第１の周波数ホッピング境界決定は、第１の態様と組み合わせて適用することができる。
【０１５５】
第１の周波数ホッピング境界決定では、図１１Ａ及び１１Ｂに示すように、シングルセグメント送信及びマルチセグメント送信に共通に、各ホップのシンボル数（すなわち、周波数ホッピング境界）を決定できる。
【０１５６】
＜第２の周波数ホッピング境界決定＞
第２の周波数ホッピング境界決定では、ＵＥは、ＰＵＳＣＨの送信機会内のスロット境界に基づいて、周波数ホッピング境界（各ホップのシンボル数）を決定してもよい。
【０１５７】
図１２Ａ及び１２Ｂは、第４の態様に係る第２の周波数ホッピング境界決定の一例を示す図である。図１２Ａ及び１２Ｂでは、図１１Ｂとの相違点を中心に説明する。なお、図１２Ａ及び１２Ｂは、例示にすぎず、各ホップの開始ＲＢは図示するものに限られない。
【０１５８】
図１２Ａに示すように、マルチセグメント送信の場合、ＵＥは、ある送信機会内のスロット境界を、当該送信機会における周波数ホッピング境界として決定してもよい。
【０１５９】
また、図１２Ｂに示すように、マルチセグメント送信の場合、ＵＥは、ある送信機会内のスロット境界と、各セグメントのシンボル数とに基づいて、当該送信機会における周波数ホッピング境界を決定してもよい。
【０１６０】
具体的には、図１２Ｂにおいて、ＵＥは、第１セグメント内の周波数ホッピング境界を、第１セグメントのシンボル数Ａｓｙｍｂに基づいて決定してもよい。例えば、図１２Ｂでは、ＵＥは、ｆｌｏｏｒ（Ａｓｙｍｂ／２）により第１セグメントの第１ホップのシンボル数を決定し、Ａｓｙｍｂ−ｆｌｏｏｒ（Ａｓｙｍｂ／２）により第１セグメントの第２ホップのシンボル数を決定する。
【０１６１】
また、図１２Ｂにおいて、ＵＥは、第２セグメント内の周波数ホッピング境界を、第２セグメントのシンボル数Ｂｓｙｍｂに基づいて決定してもよい。例えば、図１２Ｂでは、ＵＥは、ｆｌｏｏｒ（Ｂｓｙｍｂ／２）により第２セグメントの第１ホップのシンボル数を決定し、Ｂｓｙｍｂ−ｆｌｏｏｒ（Ｂｓｙｍｂ／２）により第１セグメントの第２ホップのシンボル数を決定する。なお、各セグメントの各ホップのシンボル数の決定は、上記式に限られない。
【０１６２】
図１２Ｂに示すように、ホップ間のオフセットＲＢｏｆｆｓｅｔは、セグメント間で同一であってもよいし、或いは、セグメント毎に異なってもよい。後者の場合、オフセットＲＢｏｆｆｓｅｔは、セグメント毎に上位レイヤパラメータ及びＤＣＩ内の所定フィールド値に基づいて指定されてもよい。
【０１６３】
図１２Ａ及び１２Ｂにおいて、ＵＥは、ＰＵＳＣＨの開始シンボルのインデックスを基準タイミング値Ｓ’に基づいて決定してもよいし（上記第１の時間領域リソース決定）、又は、連続する複数のシンボルで構成されるユニットのインデックスに基づいて決定してもよい（上記第２の時間領域リソース決定）。このように、第２の周波数ホッピング境界決定は、第１の態様と組み合わせて適用することができる。
【０１６４】
第２の周波数ホッピング境界決定では、図１２Ａ及び１２Ｂに示すように、送信機会内のスロット境界に基づいて各ホップのシンボル数（すなわち、周波数ホッピング境界）を適切に決定できる。
【０１６５】
以上のように、第４の態様によれば、送信機会内周波数ホッピングを適切に制御できる。
【０１６６】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１６７】
図１３は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、5th  generation  mobile  communication  system  New  Radio（５Ｇ  ＮＲ）などを用いて通信を実現するシステムであってもよい。
【０１６８】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【０１６９】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１７０】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１７１】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１７２】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１７３】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１７４】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１７５】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１７６】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１７７】
ユーザ端末２０は、ＬＴＥ、ＬＴＥ−Ａ、５Ｇなどの通信方式の少なくとも１つに対応した端末であってもよい。
【０１７８】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１７９】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１８０】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１８１】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１８２】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１８３】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１８４】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１８５】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１８６】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１８７】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１８８】
なお、本開示において下りリンク、上りリンクなどは「リンク」を付けずに表現されてもよい。また、各種チャネルの先頭に「物理（Physical）」を付けずに表現されてもよい。
【０１８９】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１９０】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１９１】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１９２】
（基地局）
図１４は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１９３】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１９４】
制御部１１０は、基地局１０全体の制御を実施する。制御部１１０は、本開示に係る技術分野での共通認識に基づいて説明されるコントローラ、制御回路などから構成することができる。
【０１９５】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１９６】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１９７】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１９８】
送受信アンテナ１３０は、本開示に係る技術分野での共通認識に基づいて説明されるアンテナ、例えばアレイアンテナなどから構成することができる。
【０１９９】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０２００】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０２０１】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０２０２】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０２０３】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０２０４】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０２０５】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２０６】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０２０７】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０２０８】
なお、本開示における基地局１０の送信部及び受信部は、送受信部１２０、送受信アンテナ１３０及び伝送路インターフェース１４０の少なくとも１つによって構成されてもよい。
【０２０９】
なお、送受信部１２０は、ある送信機会における上り共有チャネル又は下り共有チャネルの開始シンボルの基準となるタイミングに関する情報を送信してもよい（第１の態様の第１の時間領域リソース決定）。
【０２１０】
前記タイミングに関する情報は、前記上り共有チャネル又は前記下り共有チャネルのスケジューリングに用いられる下り制御情報内の所定フィールドの値であってもよい。前記所定フィールドの値は、前記タイミングを示す値を示してもよい。
【０２１１】
前記タイミングを示す複数の候補値が予め仕様で定められる、又は、上位レイヤパラメータによって設定されてもよい。前記下り制御情報内の前記所定フィールドの値は、前記複数の候補値の一つを示してもよい。
【０２１２】
制御部１１０は、前記タイミングを基準として決定される前記開始シンボル及び前記開始シンボルから連続するシンボル数に基づいて、前記上り共有チャネル又は前記下り共有チャネルに対して割り当てられる一以上のスロットに渡る時間領域リソースを決定してもよい（第１の態様の第１の時間領域リソース決定）。制御部１１０は、前記開始シンボル及び前記シンボル数を決定に用いられる所定フィールド値を含む前記下り制御情報の送信を制御してもよい。
【０２１３】
また、送受信部１２０は、連続する複数のスロット内で複数のシンボルで構成されるユニット毎にインデックスが付される場合に、ある送信機会における上り共有チャネル又は下り共有チャネルの開始ユニットのインデックス及び前記開始ユニットから連続するユニット数に関する情報を送信してもよい（第１の態様の第２の時間領域リソース決定）。
【０２１４】
前記開始ユニットのインデックス及び前記ユニット数に関する情報は、前記上り共有チャネル又は前記下り共有チャネルのスケジューリングに用いられる下り制御情報内の所定フィールドの値であってもよい。
【０２１５】
制御部１１０は、前記開始ユニット及び前記ユニット数に基づいて、前記上り共有チャネル又は前記下り共有チャネルに対して割り当てられる一以上のスロットに渡る時間領域リソースを決定してもよい（第１の態様の第２の時間領域リソース決定）。
【０２１６】
また、送受信部１２０は、上り共有チャネル又は下り共有チャネルの繰り返し回数に関する情報を送信してもよい（第２の態様）。
【０２１７】
制御部１１０は、前記繰り返し回数と等しい数の送信機会で上り共有チャネル又は下り共有チャネルを送信又は受信する場合、前記繰り返し回数と等しい数の連続するスロットより後のスロットにおける前記上り共有チャネルの受信又は前記下り共有チャネルの送信を制御してもよい（第２の態様）。
【０２１８】
制御部１１０は、前記連続するスロットより後のスロットであっても前記上り共有チャネルの受信又は前記下り共有チャネルの送信を継続してもよい（第２の態様の第１の繰り返し送信）。
【０２１９】
制御部１１０は、前記連続するスロットより後のスロットであっても前記上り共有チャネルの受信又は前記下り共有チャネルの送信を中止してもよい（第２の態様の第２の繰り返し送信）。
【０２２０】
制御部１１０は、各送信機会内のスロット境界に基づいて、前記各送信機会内における前記上り共有チャネル又は前記下り共有チャネルの周波数ホッピングを制御してもよい（第３の態様の第１の周波数ホッピング手順）。
【０２２１】
前記周波数ホッピングのパターンは、前記繰り返し回数と等しい数の送信機会間で同一であってもよいし（例えば、図８）、又は、該送信機会の少なくとも一部の間で異なってもよい（例えば、図９）。
【０２２２】
制御部２１０は、前記繰り返し回数と等しい数の送信機会間で前記上り共有チャネル又は前記下り共有チャネルの周波数ホッピングを制御してもよい（第３の態様の第２の周波数ホッピング手順）。
【０２２３】
また、送受信部１２０は、所定の送信機会において上り共有チャネルを送信する又は下り共有チャネルを送信してもよい（第４の態様）。
【０２２４】
制御部１１０は、前記上り共有チャネル又は前記下り共有チャネルに割り当てられるシンボル数に基づいて、前記所定の送信機会内における周波数ホッピングの境界（前記所定の送信機会内における各ホップのシンボル数）を決定してもよい（第４の態様の第１の周波数ホッピング境界決定）。制御部１１０は、前記所定の送信機会内のスロット境界に関係なく、前記周波数ホッピングの境界を決定してもよい。
【０２２５】
制御部１１０は、前記所定の送信機会内のスロット境界に基づいて、前記所定の送信機会内における周波数ホッピングの境界を決定してもよい（第４の態様の第２の周波数ホッピング境界決定）。制御部１１０は、前記所定の送信機会内のスロット間で前記周波数ホッピングを制御してもよい（例えば、図１２Ａ）。
【０２２６】
制御部１１０は、前記所定の送信機会内の各スロット内で前記周波数ホッピングを制御してもよい（例えば、図１２Ｂ）。制御部２１０は、前記所定の送信機会内の各スロットのシンボル数に基づいて、前記各スロット内での前記周波数ホッピングの境界（前記所定の送信機会内における各スロット内の各ホップのシンボル数）を決定してもよい。
【０２２７】
（ユーザ端末）
図１５は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０２２８】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０２２９】
制御部２１０は、ユーザ端末２０全体の制御を実施する。制御部２１０は、本開示に係る技術分野での共通認識に基づいて説明されるコントローラ、制御回路などから構成することができる。
【０２３０】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０２３１】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０２３２】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０２３３】
送受信アンテナ２３０は、本開示に係る技術分野での共通認識に基づいて説明されるアンテナ、例えばアレイアンテナなどから構成することができる。
【０２３４】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０２３５】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０２３６】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０２３７】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０２３８】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０２３９】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０２４０】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０２４１】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０２４２】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０２４３】
なお、本開示におけるユーザ端末２０の送信部及び受信部は、送受信部２２０、送受信アンテナ２３０及び伝送路インターフェース２４０の少なくとも１つによって構成されてもよい。
【０２４４】
なお、送受信部２２０は、ある送信機会における上り共有チャネル又は下り共有チャネルの開始シンボルの基準となるタイミングに関する情報を受信してもよい（第１の態様の第１の時間領域リソース決定）。
【０２４５】
前記タイミングに関する情報は、前記上り共有チャネル又は前記下り共有チャネルのスケジューリングに用いられる下り制御情報内の所定フィールドの値であってもよい。前記所定フィールドの値は、前記タイミングを示す値を示してもよい。
【０２４６】
前記タイミングを示す複数の候補値が予め仕様で定められる、又は、上位レイヤパラメータによって設定されてもよい。前記下り制御情報内の前記所定フィールドの値は、前記複数の候補値の一つを示してもよい。
【０２４７】
制御部２１０は、前記タイミングを基準として決定される前記開始シンボル及び前記開始シンボルから連続するシンボル数に基づいて、前記上り共有チャネル又は前記下り共有チャネルに対して割り当てられる一以上のスロットに渡る時間領域リソースを決定してもよい（第１の態様の第１の時間領域リソース決定）。制御部２１０は、前記下り制御情報内の所定フィールドの値に基づいて、前記開始シンボル及び前記シンボル数を決定してもよい。
【０２４８】
また、送受信部２２０は、連続する複数のスロット内で複数のシンボルで構成されるユニット毎にインデックスが付される場合に、ある送信機会における上り共有チャネル又は下り共有チャネルの開始ユニットのインデックス及び前記開始ユニットから連続するユニット数に関する情報を受信してもよい（第１の態様の第２の時間領域リソース決定）。
【０２４９】
前記開始ユニットのインデックス及び前記ユニット数に関する情報は、前記上り共有チャネル又は前記下り共有チャネルのスケジューリングに用いられる下り制御情報内の所定フィールドの値であってもよい。
【０２５０】
制御部２１０は、前記開始ユニット及び前記ユニット数に基づいて、前記上り共有チャネル又は前記下り共有チャネルに対して割り当てられる一以上のスロットに渡る時間領域リソースを決定してもよい（第１の態様の第２の時間領域リソース決定）。
【０２５１】
また、送受信部２２０は、上り共有チャネル又は下り共有チャネルの繰り返し回数に関する情報を受信してもよい（第２の態様）。
【０２５２】
制御部２１０は、前記繰り返し回数と等しい数の送信機会で上り共有チャネル又は下り共有チャネルを送信又は受信する場合、前記繰り返し回数と等しい数の連続するスロットより後のスロットにおける前記上り共有チャネルの送信又は前記下り共有チャネルの受信を制御してもよい（第２の態様）。
【０２５３】
制御部２１０は、前記連続するスロットより後のスロットであっても前記上り共有チャネルの送信又は前記下り共有チャネルの受信を継続してもよい（第２の態様の第１の繰り返し送信）。
【０２５４】
制御部２１０は、前記連続するスロットより後のスロットであっても前記上り共有チャネルの送信又は前記下り共有チャネルの受信を中止してもよい（第２の態様の第２の繰り返し送信）。
【０２５５】
制御部２１０は、各送信機会内のスロット境界に基づいて、前記各送信機会内における前記上り共有チャネル又は前記下り共有チャネルの周波数ホッピングを制御してもよい（第３の態様の第１の周波数ホッピング手順）。
【０２５６】
前記周波数ホッピングのパターンは、前記繰り返し回数と等しい数の送信機会間で同一であってもよいし（例えば、図８）、又は、該送信機会の少なくとも一部の間で異なってもよい（例えば、図９）。
【０２５７】
制御部２１０は、前記繰り返し回数と等しい数の送信機会間で前記上り共有チャネル又は前記下り共有チャネルの周波数ホッピングを制御してもよい（第３の態様の第２の周波数ホッピング手順）。
【０２５８】
また、送受信部２２０は、所定の送信機会において上り共有チャネルを送信する又は下り共有チャネルを受信してもよい（第４の態様）。
【０２５９】
制御部２１０は、前記上り共有チャネル又は前記下り共有チャネルに割り当てられるシンボル数に基づいて、前記所定の送信機会内における周波数ホッピングの境界（前記所定の送信機会内における各ホップのシンボル数）を決定してもよい（第４の態様の第１の周波数ホッピング境界決定）。制御部２１０は、前記所定の送信機会内のスロット境界に関係なく、前記周波数ホッピングの境界を決定してもよい。
【０２６０】
制御部２１０は、前記所定の送信機会内のスロット境界に基づいて、前記所定の送信機会内における周波数ホッピングの境界を決定してもよい（第４の態様の第２の周波数ホッピング境界決定）。制御部２１０は、前記所定の送信機会内のスロット間で前記周波数ホッピングを制御してもよい（例えば、図１２Ａ）。
【０２６１】
制御部２１０は、前記所定の送信機会内の各スロット内で前記周波数ホッピングを制御してもよい（例えば、図１２Ｂ）。制御部２１０は、前記所定の送信機会内の各スロットのシンボル数に基づいて、前記各スロット内での前記周波数ホッピングの境界（前記所定の送信機会内における各スロット内の各ホップのシンボル数）を決定してもよい。
【０２６２】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０２６３】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０２６４】
例えば、本開示の一実施形態における基地局、ユーザ端末などは、本開示の無線通信方法の処理を行うコンピュータとして機能してもよい。図１６は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２６５】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０２６６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０２６７】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０２６８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０２６９】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０２７０】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２７１】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２７２】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０２７３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０２７４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２７５】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２７６】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０２７７】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０２７８】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２７９】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０２８０】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０２８１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０２８２】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２８３】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２８４】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２８５】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２８６】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２８７】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２８８】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２８９】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２９０】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０２９１】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０２９２】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２９３】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２９４】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２９５】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２９６】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２９７】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２９８】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２９９】
また、情報、信号などは、上位レイヤから下位レイヤ及び下位レイヤから上位レイヤの少なくとも一方へ出力され得る。情報、信号などは、複数のネットワークノードを介して入出力されてもよい。
【０３００】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０３０１】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０３０２】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０３０３】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０３０４】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０３０５】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０３０６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０３０７】
本開示において使用する「システム」及び「ネットワーク」という用語は、互換的に使用され得る。「ネットワーク」は、ネットワークに含まれる装置（例えば、基地局）のことを意味してもよい。
【０３０８】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０３０９】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０３１０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０３１１】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０３１２】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０３１３】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０３１４】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０３１５】
同様に、本開示におけるユーザ端末は、基地局で読み替えてもよい。この場合、上述のユーザ端末２０が有する機能を基地局１０が有する構成としてもよい。
【０３１６】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０３１７】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０３１８】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０３１９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０３２０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０３２１】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０３２２】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０３２３】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０３２４】
また、「判断（決定）」は、「想定する（assuming）」、「期待する（expecting）」、「みなす（considering）」などで読み替えられてもよい。
【０３２５】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０３２６】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０３２７】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０３２８】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０３２９】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０３３０】
本開示において、例えば、英語でのa,  an及びtheのように、翻訳によって冠詞が追加された場合、本開示は、これらの冠詞の後に続く名詞が複数形であることを含んでもよい。
【０３３１】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020165998.tif 000003
【図２】
2020165998.tif 000004
【図３】
2020165998.tif 000005
【図４】
2020165998.tif 000006
【図５】
2020165998.tif 000007
【図６】
2020165998.tif 000008
【図７】
2020165998.tif 000009
【図８】
2020165998.tif 000010
【図９】
2020165998.tif 000011
【図１０】
2020165998.tif 000012
【図１１】
2020165998.tif 000013
【図１２】
2020165998.tif 000014
【図１３】
2020165998.tif 000015
【図１４】
2020165998.tif 000016
【図１５】
2020165998.tif 000017
【図１６】
2020165998.tif 000018
【国際調査報告】
2020165998.tif 000019
2020165998.tif 000020
2020165998.tif 000021